(57)【特許請求の範囲】
【請求項１】
浴室の天井パネルに形成された開口部に取り付けられ、浴室の空調を行う浴室空調装置において、
前記開口部を下方から覆うフロントパネルと、
前記フロントパネルに形成され、浴室内の空気を吸い込む吸込口と、
前記フロントパネルに形成され、前記吸込口から吸い込んだ空気を浴室内に吹き出す吹出口と、
前記フロントパネルの上方に形成され、前記吸込口と前記吹出口とを連通させる流路である内部流路と、
前記内部流路に配置され、前記吸込口から吸い込んだ空気を前記吹出口に向かわせる送風機と、
前記内部流路において発生した結露水を捕集する結露水捕集手段と、を備え、
前記結露水捕集手段は、
鉛直方向に対して斜めに配置された傾斜面を有し、前記傾斜面上で結露水を発生させる凝縮部と、
前記傾斜面の下端部から落下する結露水を受け入れて溜めておく溜水部と、を有し、
前記凝縮部は、前記吸込口を鉛直上方から覆うように配置されていることを特徴とする浴室空調装置。
【請求項２】
前記溜水部は、前記フロントパネルの少なくとも一部と共に回動可能であることを特徴とする、請求項１に記載の浴室空調装置。
【請求項３】
前記結露水捕集手段は、前記溜水部を回動させた際において、前記溜水部から流出した水が零れないように受け入れる捕水部を備えていることを特徴とする、請求項２に記載の浴室空調装置。
【請求項４】
前記溜水部は、一体に設けられた前記フロントパネルから取り外すことが可能であることを特徴とする、請求項１乃至請求項３のいずれか一項に記載の浴室空調装置。
【発明の詳細な説明】
【技術分野】
【０００１】
本発明は、浴室の空調を行う浴室空調装置に関する。
【背景技術】
【０００２】
浴室の天井パネルに形成された開口部に取り付けられ、浴室内の暖房や乾燥等、浴室の空調を行うことのできる浴室空調装置が知られている。このような浴室空調装置は、上記開口部を下方から覆うフロントパネルを備えており、当該フロントパネルに形成された吸込口から浴室の空気を吸い込み、ヒーターを経由させる等の空調を行った後、吹出口から浴室に向けて空気を吹き出すものである。
【０００３】
吸込口には浴室から高温多湿の空気が流入するが、浴室空調装置の内部は浴室内の気温に比べて低い温度となっているため、浴室空調装置の内部では結露が発生しやすい状態となっている。浴室空調装置の内部で結露が発生すると、天井パネルに設置された浴室空調装置から浴室内に結露水が落下し、浴室の使用者に降りかかってしまう場合がある。
【０００４】
このため、浴室空調装置においては、内部で発生した結露水を浴室内に落下させないための構成が種々検討されている。例えば下記特許文献１には、吸込口を開閉する機構をフロントパネルに備えた構成の浴室空調装置が記載されている。下記特許文献１に記載の浴室空調装置は、空調の停止時に吸込口及び吹出口を閉鎖することにより、浴室内に結露水が落下することを防止している
【先行技術文献】
【特許文献】
【０００５】
【特許文献１】特開２００５−１７２３２０号公報
【発明の概要】
【発明が解決しようとする課題】
【０００６】
吸込口及び吹出口を開閉する機構を備えるためには、フロントパネルの上部において当該機構を収納するための空間を確保する必要がある。しかし、既にファンやモーターなどが配置された浴室空調装置の内部には、新たに空間を確保することが難しい。このため、上記特許文献１に記載の浴室空調装置においては、フロントパネルの上部に新たな空間を確保するために、フロントパネルを浴室側に突出した形状としている。その結果、吸込口及び吹出口を開閉する機構を配置する空間を確保できるものの、その代償として天井パネルからフロントパネルが大きく突出し、浴室内の美観を損なってしまうという問題が生じていた。
【０００７】
本発明はこのような課題に鑑みてなされたものであり、その目的は、浴室の天井パネルからフロントパネルを大きく突出させることなく、浴室内に結露水が落下することを確実に防止することのできる浴室空調装置を提供することにある。
【課題を解決するための手段】
【０００８】
上記課題を解決するために本発明に係る浴室空調装置は、浴室の天井パネルに形成された開口部に取り付けられ、浴室の空調を行う浴室空調装置において、前記開口部を下方から覆うフロントパネルと、前記フロントパネルに形成され、浴室内の空気を吸い込む吸込口と、前記フロントパネルに形成され、前記吸込口から吸い込んだ空気を浴室内に吹き出す吹出口と、前記フロントパネルの上方に形成され、前記吸込口と前記吹出口とを連通させる流路である内部流路と、前記内部流路に配置され、前記吸込口から吸い込んだ空気を前記吹出口に向かわせる送風機と、前記内部流路において発生した結露水を捕集する結露水捕集手段と、を備え、前記結露水捕集手段は、鉛直方向に対して斜めに配置された傾斜面を有し、前記傾斜面上で結露水を発生させる凝縮部と、前記傾斜面の下端部から落下する結露水を受け入れて溜めておく溜水部と、を有することを特徴としている。
【０００９】
本発明では、浴室空調装置の内部流路に発生した結露水を捕集する結露水捕集手段を備えている。結露水捕集手段は、凝縮部と溜水部とを有している。凝縮部は、鉛直方向に対して斜めに配置された傾斜面を有しており、当該傾斜面上で結露水を発生させるものである。傾斜面上で発生した結露水は重力により下方に移動するが、直ちに鉛直下方に落下するのではなく、傾斜面に沿って下方に移動し傾斜面の下端部に到達した後で、鉛直下方に落下する。
【００１０】
溜水部は、傾斜面の下端部から落下する結露水を受け入れて溜めておくものである。このため、凝縮部の傾斜面上で発生した結露水は全て溜水部に溜まることとなり、吸込口から浴室内に落下してしまうことが確実に防止される。
【００１１】
このように、本発明における結露水捕集手段は、吸込口及び吹出口を開閉するような複雑な機構を必要とせず、凝縮部と溜水部とを有するという構成によって結露水が浴室内に落下することを防止するものである。従って、フロントパネルの上方における狭いスペースであっても結露水捕集手段を配置することができるため、フロントパネルを大きく突出させることにより浴室内の美観を損なうことがない。
【００１２】
また本発明に係る浴室空調装置では、前記凝縮部は、前記吸込口の鉛直上方に配置されていることも好ましい。
【００１３】
この好ましい態様では、凝縮部が、吸込口の鉛直上方に配置される。このため、吸込口から吸い込まれた浴室内の空気は、他の構造物に当たる前に、最初に凝縮部に当たることとなる。その結果、浴室内の空気に含まれていた水蒸気の殆どが凝縮部の傾斜面において結露水となり、内部流路の他の部分における結露水の発生が抑制される。従って、結露水を効率的に捕集して溜水部に溜めることができる。
【００１４】
また本発明に係る浴室空調装置では、前記溜水部は、前記フロントパネルの少なくとも一部と共に回動可能であることも好ましい。
【００１５】
溜水部は、長時間に渡り水が溜まる部分であるため、不衛生な状態となりやすく、定期的に清掃等のメンテナンスを施すことが好ましい。しかし、溜水部はフロントパネルの上部に配置されており、溜水部にメンテナンスを施すにはフロントパネルを取り外す必要が生じる。
【００１６】
この好ましい態様では、溜水部は、フロントパネルの少なくとも一部と共に回動可能である。このため、溜水部にメンテナンスを施す際においては、フロントパネル全体を取り外すことなく、フロントパネルの少なくとも一部と共に溜水部を回動させるだけで溜水部に手が届く状態となる。従って、溜水部に対して容易にメンテナンスを施すことができる。
【００１７】
また本発明に係る浴室空調装置では、前記結露水捕集手段は、前記溜水部を回動させた際において、前記溜水部から流出した水が零れないように受け入れる捕水部を備えていることも好ましい。
【００１８】
メンテナンスを施すために溜水部を回動させると、溜水部に溜まっていた水が溜水部から零れ出て、不衛生な水がメンテナンスを施す作業者にかかってしまうことが考えられる。そこで、この好ましい態様では、溜水部を回動させた際において、溜水部から流出した水が零れないように受け入れる捕水部を備える。溜水部から流出した水は捕水部に受け入れられ、零れ出ることがないため、溜水部のメンテナンスをより容易に行うことが可能となる。
【００１９】
また本発明に係る浴室空調装置では、前記溜水部は、一体に設けられた前記フロントパネルから取り外すことが可能であることも好ましい。
【００２０】
この好ましい態様では、溜水部を一体に設けられたフロントパネルから取り外すことができる。従って、天井パネルから離れた場所において溜水部のメンテナンスを行うことができるため、溜水部のメンテナンスを更に容易に行うことが可能となる。
【発明の効果】
【００２１】
本発明によれば、浴室の天井パネルからフロントパネルを大きく突出させることなく、浴室内に結露水が落下することを確実に防止することのできる浴室空調装置を提供することができる。
【図面の簡単な説明】
【００２２】
【図１】本発明の実施形態である浴室空調装置を浴室に取り付けた状態を模式的に示す図である。
【図２】本発明の実施形態である浴室空調装置を下方から見た状態を示す外観図である。
【図３】図２におけるＡ−Ａ断面を示す断面図である。
【図４】本発明の実施形態である浴室空調装置を下方から見た状態を示す外観図である。
【図５】図４におけるＢ−Ｂ断面を示す断面図である。
【発明を実施するための形態】
【００２３】
以下、添付図面を参照しながら本発明の実施の形態について説明する。説明の理解を容易にするため、各図面において同一の構成要素に対しては可能な限り同一の符号を付して、重複する説明は省略する。
【００２４】
本発明の実施形態に係る浴室空調装置は、浴室内の空気を吸い込みヒーターを経由させて浴室方向に吹き出す暖房モードと、浴室内の空気を吸い込み浴室外に排出する換気モードと、浴室内の空気を吸い込みその一部はヒーターを経由させて浴室方向に吹き出しながら、残りの空気は浴室外に排出する乾燥モードと、を備えると共に、浴室以外の第二室である洗面所等の換気も行うことができるものである。
【００２５】
この浴室空調装置の配置態様について図１を参照しながら説明する。図１に示すように、浴室空調装置ＤＭは、浴室ＢＲの天井ＢＲｃに取り付けられるものである。浴室空調装置ＤＭは、浴室ＢＲ内の空気を吸い込みヒータ（図１においては明示しない）を経由させて浴室ＢＲ方向に空気を吹き出すことができる。また、浴室空調装置ＤＭは、浴室ＢＲ内の空気を吸い込み、少なくともその一部をダクトＤ１を通して浴室外に排出することもできる。また、浴室空調装置ＤＭは、洗面所ＳＲの天井に設けられた吸引口ＳＲ１に繋がるダクトＳＲ２を通して、洗面所ＳＲ内の空気を吸引し、ダクトＤ１を通して浴室外に排出することもできる。
【００２６】
上記の通り乾燥モードは、浴室ＢＲ内の空気を吸い込みその一部はヒーターを経由させて浴室ＢＲの方向に吹き出しながら、残りの空気は浴室ＢＲ外に排出する運転モードである。この乾燥モードにおいて浴室空調装置ＤＭは、ヒーターを経由させた空気を浴室ＢＲの方向に吹き出すため、浴室ＢＲ内の気温は上昇する。また、浴室ＢＲから吸い込まれた空気の一部は、浴室ＢＲ内の水蒸気と共に浴室ＢＲ外に排出される。その結果、浴室ＢＲ内の湿度は効率的に低下することとなり、浴室空調装置ＤＭの下方に洗濯後の衣類を吊り下げた状態で乾燥モードによる運転を行えば、浴室ＢＲの壁面と共に衣類も短時間で乾燥させることができる。
【００２７】
図２は、浴室空調装置ＤＭを下方から見た状態を示す外観図である。同図においては、説明のためにフロントパネルＳＰを取り外した状態を示している。図２に示されるように、浴室空調装置ＤＭは、浴室ＢＲの天井ＢＲｃに形成された矩形の開口部に、ファン３０等が収められた機能部ＦＢを挿入固定し、その後、フロントパネルＳＰで開口部及び機能部ＦＢを覆った状態で浴室ＢＲに設置される。フロントパネルＳＰは長方形に形成された板状の部材であって、浴室ＢＲの壁面（天井ＢＲｃ）と平行に配置される主面を有しており、当該主面の法線方向を浴室ＢＲ側に向けて配置されるものである。フロントパネルＳＰは、吸込口１０及び吹出口２０を備えている。
【００２８】
吸込口１０は、浴室空調装置ＤＭが浴室ＢＲ内の空気を吸い込むための部分であって、フロントパネルＳＰの主面において二つの開口１０ａ、１０ｂとして形成された部分である。これら二つの開口１０ａ、１０ｂは、いずれも、フロントパネルＳＰの長辺方向に沿った細長い長方形状に形成されている。
【００２９】
吹出口２０は、浴室空調装置ＤＭが浴室内に空気を吹き出すための部分であって、フロントパネルＳＰの主面において開口２０ａとして形成された部分である。開口２０ａは、上記の開口１０ａ、１０ｂとは離間した位置において、フロントパネルＳＰの長辺方向に沿った細長い長方形状に形成されている。開口２０ａの形状は、機能部ＦＢ側に固定された整風板２１の外形と略一致しており、フロントパネルＳＰで機能部ＦＢを覆った際において、整風板２１が開口２０ａに嵌入された状態となる。すなわち、浴室空調装置ＤＭから浴室ＢＲ内に空気を吹き出す際は、空気は整風板２１と吹出口２０とを同時に通過した後、浴室ＢＲ内に吹き出すこととなる。
【００３０】
続いて、浴室空調装置ＤＭの内部構造について、図３を参照しながら説明する。図３は、図２の浴室空調装置ＤＭにおいて、フロントパネルＳＰを取り付けた状態におけるＡ−Ａ断面を示す断面図である。図３に示すように、浴室空調装置ＤＭの機能部ＦＢは、その下端においてフランジＦＢｆが形成されており、フランジＦＢｆと天井ＢＲｃとが図示しないボルトで固定されている。また、フロントパネルＳＰは、フランジＦＢｆ全体を覆うように設置され、フランジＦＢｆに対して図示しないボルトで固定されている。
【００３１】
機能部ＦＢの内部、すなわちフロントパネルＳＰの上方には、吸込口１０と吹出口２０とを連通させる内部流路５０が形成されている。内部流路５０は、吸込口１０から吸い込んだ空気が吹出口２０へと流れるための流路である。内部流路５０は、ファン３０より上流側である上流側流路５０ａと、ファン３０より下流側である下流側流路５０ｂとを有している。
【００３２】
ファン３０は内部流路５０に配置された送風機であって、内部流路５０における空気の流れを発生させるものである。ファン３０の上部には、ファン３０を回転駆動するファンモータ３０ａが設けられている。ファン３０は、複数の羽根を円形に並べた所謂シロッコファンと呼ばれるものである。ファンモータ３０ａが回転すると、ファン３０が回転駆動され、ファン３０の下方から空気を吸い込み、ファン３０の側面から水平方向に空気が放出される。ファン３０の側面から放出された空気は、その後、下流側流路５０ｂへと流れる。
【００３３】
下流側流路５０ｂには、ファン３０よりも下流側で且つ吹出口２０よりも上流側において、下流側流路５０ｂから分岐する流路として図示しない排出流路が接続されている。排出流路はダクトＤ１に接続された流路であって、浴室の外部（例えば屋外）に連通している。
【００３４】
下流側流路５０ｂと排出流路との境界部には、図示しないダンパーが配置されている。ダンパーは、下流側流路５０ｂから排出流路へ空気が流れる流路の開度を調整するためのものである。ダンパーの動作によって、排出流路へ空気が流れる流路の開度が調整される。
【００３５】
暖房モードにおいては、ダンパーが排出流路を完全に閉鎖した状態となり、吸込口１０から吸い込まれた空気は全てヒーターＨＴで加熱された後、吹出口２０から浴室ＢＲ内に吹き出す。乾燥モードにおいては、ダンパーの開度が調整され、吸込口１０から吸い込まれた空気の一部は排出流路を通じて浴室ＢＲの外部に排出される一方、残りはヒーターＨＴを経由して吹出口２０を通過し浴室ＢＲに吹き出す。換気モードにおいては、ダンパーは排出流路を開状態とする一方、吹出口２０に通じる流路を完全に閉鎖する。このため、吸込口１０から吸い込まれた空気は、全て排出流路を通じて浴室ＢＲの外部に排出される。
【００３６】
下流側流路５０ｂを流れる空気は、上記のように少なくとも一部は排出流路を通じて浴室ＢＲの外部に排出され、残りはヒーターＨＴを経由して吹出口２０を通過し、浴室ＢＲに吹き出る。ヒーターＨＴは、整風板２１の直上に配置された電気ヒーターであって、吹出口２０から吹き出す空気を加熱するものである。ヒーターＨＴは常に空気を加熱するものではなく、浴室空調装置ＤＭの運転モードに応じて、加熱のＯＮ／ＯＦＦが適宜制御される。
【００３７】
次に、浴室空調装置ＤＭの内部において発生する結露水について説明する。図３に示したように、吸込口１０の鉛直上方には、傾斜壁ＷＬａ及び傾斜壁ＷＬｂが配置されている。具体的には、開口１０ａの鉛直上方には傾斜壁ＷＬａが配置され、開口１０ｂの鉛直上方には傾斜壁ＷＬｂが配置されている。傾斜壁ＷＬａ、ＷＬｂはそれぞれ、鉛直方向に対して斜めに（図３においては、法線が右下方向を向くように）配置された傾斜面Ｓａ、Ｓｂを有している。
【００３８】
傾斜壁ＷＬａ及び傾斜壁ＷＬｂを上記のように配置しているため、吸込口１０から吸い込まれた空気は、浴室空調装置ＤＭの内部にある他の構造物に当たる前に、最初に傾斜面Ｓａ、Ｓｂに当たる。吸込口１０から吸い込まれた空気は浴室ＢＲ内の高温多湿の空気であるため、傾斜面Ｓａ、Ｓｂに当たることによって冷却される。その結果、傾斜面Ｓａ、Ｓｂの面上で結露し、それぞれにおいて水滴ＷＴ１ａ、ＷＴ１ｂが発生する。即ち、傾斜壁ＷＬａ及び傾斜壁ＷＬｂは、本発明における凝縮部として機能するものである。
【００３９】
吸込口１０から吸い込まれた空気は、最初に傾斜面Ｓａ、Ｓｂに当たって結露し水滴ＷＴ１ａ、ＷＴ１ｂを発生させた後、比較的湿度が低い状態となる。このため、傾斜面Ｓａ、Ｓｂよりも下流側において再び結露することは抑制されている。換言すれば、浴室空調装置ＤＭにおける結露は、そのほとんどが傾斜面Ｓａ、Ｓｂにおいて発生し、他の部分において発生することは抑制されている。
【００４０】
傾斜面Ｓａ、Ｓｂで発生した水滴ＷＴ１ａ、ＷＴ１ｂは、それぞれ傾斜面Ｓａ、Ｓｂに付着したままの状態で、重力により下方に移動する。すなわち、傾斜面Ｓａ、Ｓｂに沿って下方に（図３においては左下に向かって）移動し、傾斜面Ｓａ、Ｓｂの下端部まで移動する。
【００４１】
傾斜面Ｓａ、Ｓｂの下端部の鉛直下方には、溜水部ＲＳが形成されている。溜水部ＲＳは、フロントパネルＳＰの上面の一部である底部ＢＴと、底部ＢＴの外周から上方に突出する外周壁Ｗと、開口１０ａの外周から上方に突出する内周壁Ｗａと、開口１０ｂの外周から上方に突出する内周壁Ｗｂとを備えており、これらによって所定量の水を蓄えることができるように形成されている。
【００４２】
このため、傾斜面Ｓａ、Ｓｂの下端部まで移動した水滴ＷＴ１ａ、ＷＴ１ｂはその後落下するが、溜水部ＲＳに受け入れられることにより、保留水ＷＴ２として溜まることとなる。このように、傾斜面Ｓａ、Ｓｂにおいて発生した水滴ＷＴ１ａ、ＷＴ１ｂが、発生した位置で直ちに落下するのではなく、傾斜面Ｓａ、Ｓｂに沿って下方に移動した後で溜水部ＲＳに落下し、保留水ＷＴ２として溜まる。従って、水滴ＷＴ１ａ、ＷＴ１ｂが吸込口１０を通過して浴室ＢＲに落下することが確実に防止される。
【００４３】
次に、溜水部ＲＳにメンテナンスを施すための機構について、図４及び図５を参照しながら説明する。図４は、浴室空調装置ＤＭを下方から見た状態を示す外観図であって、メンテナンスを行う際における浴室空調装置ＤＭの状態を示している。
【００４４】
既に説明したように、浴室空調装置ＤＭの溜水部ＲＳは、フロントパネルＳＰの一部と一体に構成されている。本実施形態においては、フロントパネルＳＰのうち溜水部ＲＳが形成されている部分は、他の部分に対して図４のように回動することが可能となっており、回動部ＲＳＵを構成している。
【００４５】
図４に示したように回動部ＲＳＵは、開口１０ａの長手方向と平行で且つ開口１０ａの近傍に配置された回転軸を中心に回動するものである。回動部ＲＳＵには、傾斜壁ＷＬａ、傾斜壁ＷＬｂ、外周壁Ｗ、内周壁Ｗａ、及び内周壁Ｗｂが一体に形成されている。このため、図４のように回動部ＲＳＵを回動させた状態においては、溜水部ＲＳの全体が浴室ＢＲに向けて露出した状態となる。従って、溜水部ＲＳの清掃等、メンテナンス作業を行う際においては、フロントパネルＳＰ全体を取り外すことなく、回動部ＲＳＵを回動させるだけで、溜水部ＲＳに浴室ＢＲ側から手が届く状態となる。従って、溜水部ＲＳに対して容易にメンテナンスを施すことができる。
【００４６】
図５は、図４におけるＢ−Ｂ断面を示す断面図である。回動部ＲＳＵは、図５のように回動した状態において、下端となる位置から底部ＢＴと平行に上方に延びる（図３においては水平に延びる）捕水壁ＣＴを有している。
【００４７】
図３において溜水部ＲＳに溜まっていた保留水ＷＴ２は、回動部ＲＳＵが回転するに伴って下方（捕水壁ＣＴ側）に移動し、図５のように捕水壁ＣＴと底部ＢＴとによって挟まれた空間に溜まった状態となる。すなわち、当該空間は本発明における捕水部として機能している。このように、回動部ＲＳＵを回動させた場合であっても、溜水部ＲＳから流出した水は浴室ＢＲ側に零れ出ることがない。このため、溜水部ＲＳのメンテナンスをより容易に行うことが可能となっている。
【００４８】
尚、浴室空調装置ＤＭにおける回動部ＲＳＵの回転軸部分の軸受構造について、詳細な図示による説明は省略するが、一般に用いられる種々の回転軸受を採用することができる。本実施形態においては、回動部ＲＳＵを浴室空調装置ＤＭから取り外すことが可能な軸受を採用している。このため、溜水部ＲＳの細部まで清掃するような場合においては、回動部ＲＳＵを取り外し、天井パネルから離れた場所において作業を行うことが可能となっている。
【００４９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１０：吸込口
１０ａ，１０ｂ：開口
２０：吹出口
２０ａ：開口
２１：整風板
３０：ファン
３０ａ：ファンモータ
５０：内部流路
５０ａ：上流側流路
５０ｂ：下流側流路
ＢＲ：浴室
ＢＲｃ：天井
Ｄ１：ダクト
ＤＭ：浴室空調装置
ＦＢ：機能部
ＦＢｆ：フランジ
ＨＴ：ヒーター
ＳＰ：フロントパネル
ＳＲ：洗面所
ＳＲ１：吸引口
ＳＲ２：ダクト
ＲＳＵ：回動部
ＷＬａ：傾斜壁
ＷＬｂ：傾斜壁
ＢＴ：底部
ＣＴ：捕水壁
Ｓａ，Ｓｂ：傾斜面
ＲＳ：溜水部
Ｗ：外周壁
Ｗａ，Ｗｂ：内周壁
ＷＴ１ａ，ＷＴ１ｂ：水滴
ＷＴ２：保留水
【要約】      （修正有）【課題】浴室の天井パネルからフロントパネルを大きく突出させることなく、浴室内に結露水が落下することを確実に防止することのできる浴室空調装置を提供する。【解決手段】この浴室空調装置は、内部流路５０において発生した結露水を捕集する結露水捕集手段を備えており、結露水捕集手段は、鉛直方向に対して斜めに配置された傾斜面Ｓａ、Ｓｂ上で結露水を発生させる傾斜壁ＷＬａ、ＷＬｂと、傾斜面Ｓａ、Ｓｂの下端部から落下する結露水を受け入れて溜めておく溜水部ＲＳと、を有する。【選択図】図３【図１】
0005228264.tif 000002
【図２】
0005228264.tif 000003
【図３】
0005228264.tif 000004
【図４】
0005228264.tif 000005
【図５】
0005228264.tif 000006